(57)【要約】【課題】容易に位置決めできることでＬＣＤに均一な照明光を照射することが可能な導光板、線状光源装置および面発光装置を提供する。【解決手段】長尺状の配線基板３１０と配線基板３１０に配列された複数の発光素子３２０とを備えた線状光源装置３０と、線状光源装置３０を光源として一側面に配置する導光板２０とを備えた面発光装置１０において、線状光源装置３０には、配線基板３１０の両端部であり、かつ配線基板３１０の長さ方向に沿った一方の側面に設けられた第１切欠部３１２と、他方の側面に設けられた第２切欠部３１３とを有し、導光板２０には、第１切欠部３１２および第２切欠部３１３に嵌合する第１凸部２１２および第２凸部２１３が、側面Ｓ１から突出して設けられている。【選択図】図１
2008060019.tif 000002
【特許請求の範囲】
【請求項１】
長尺状の配線基板と前記配線基板に配列された複数の発光素子とを備えた線状光源装置を、光源として一側面に配置する導光板において、
前記配線基板の幅方向を挟むように、前記一側面から突出した挟持部が設けられていることを特徴とする導光板。
【請求項２】
前記挟持部は、前記配線基板の長さ方向に沿った両側面に設けられた切欠部に嵌合するように設けられていることを特徴とする請求項１記載の導光板。
【請求項３】
前記挟持部は、前記配線基板の両端部を挟むように、前記一側面に設けられていることを特徴とする請求項１または２記載の導光板。
【請求項４】
長尺状の配線基板と前記配線基板に配列された複数の発光素子とを備え、導光板の一側面に配置される線状光源装置において、
前記配線基板には、前記導光板の一側面より前記配線基板を挟むように突出した挟持部と嵌合する切欠部が設けられていることを特徴とする線状光源装置。
【請求項５】
前記切欠部は、前記配線基板の両端部に設けられていることを特徴とする請求項４記載の線状光源装置。
【請求項６】
長尺状の配線基板と前記配線基板に配列された複数の発光素子とを備えた線状光源装置と、前記線状光源装置を光源として一側面に配置する導光板とを備えた面発光装置において、
前記導光板には、前記配線基板の幅方向を挟むように、前記一側面から突出した挟持部が設けられていることを特徴とする面発光装置。
【請求項７】
前記線状光源装置には、前記配線基板の長さ方向に沿った両側面に設けられた切欠部が設けられ、
前記導光板には、前記切欠部に嵌合するように前記挟持部が設けられていることを特徴とする請求項６記載の面発光装置。
【請求項８】
前記導光板には、前記挟持部が、前記配線基板の両端部を挟むように、前記一側面に設けられていることを特徴とする請求項６または７記載の面発光装置。
【請求項９】
前記線状光源装置には、前記切欠部が、前記配線基板の両端部に設けられていることを特徴とする請求項６から８のいずれかの項に記載の面発光装置。
【発明の詳細な説明】
【技術分野】
【０００１】
本発明は、液晶表示パネルなどの照明光の光源として背面側から照射する導光板、線状光源装置および面発光装置に関する。
【背景技術】
【０００２】
従来の面発光装置として、液晶表示パネル（Liquid Crystal Display：以下、ＬＣＤと称す。）に導光板を配置し、長尺状の配線基板に複数の発光素子を配列した従来の線状光源装置を、光源として導光板の一側面に配置したものが知られている（例えば、特許文献１参照。）。この特許文献１に記載の面発光装置は、導光板の背面側に貼られた下反射シートと共に上反射シートで挟むようにして線状光源装置を導光板に固定している。
【特許文献１】特開２００４−２３５１３９号公報
【発明の開示】
【発明が解決しようとする課題】
【０００３】
しかし、従来の面発光装置では、線状光源装置を導光板に固定するために上反射シートと下反射シートとで挟むようにして貼り付けているだけなので、線状光源装置を位置決めするだけの剛性が不足していたり、下反射シートが少し撓んでいたりして、導光板の側面の幅方向に対してのずれが発生することがある。導光板の厚みが厚ければ線状光源装置の多少のずれは問題とならないが、面発光装置も薄型化が進む中、導光板の厚みも薄くなってきている。したがって、導光板の厚みが薄くなればなるほど、線状光源装置からの光が導光板の側面の幅方向の中心からずれてしまうと、導光板内で光の進行が一様に広がらない。したがって、光を一様にＬＣＤに照射することができず、表示面が見難いものとなってしまう。
【０００４】
そこで本発明は、容易に位置決めできることでＬＣＤに均一な照明光を照射することが可能な導光板、線状光源装置および面発光装置を提供することを目的とする。
【課題を解決するための手段】
【０００５】
本発明の導光板は、長尺状の配線基板と前記配線基板に配列された複数の発光素子とを備えた線状光源装置を、光源として一側面に配置する導光板において、前記配線基板の幅方向を挟むように、前記一側面から突出した挟持部が設けられていることを特徴とする。
【０００６】
本発明の線状光源装置は、長尺状の配線基板と前記配線基板に配列された複数の発光素子とを備え、導光板の一側面に配置される線状光源装置において、前記配線基板には、前記導光板の一側面より前記配線基板を挟むように突出した挟持部と嵌合する切欠部が設けられていることを特徴とする。
【０００７】
本発明の面発光装置は、長尺状の配線基板と前記配線基板に配列された複数の発光素子とを備えた線状光源装置と、前記線状光源装置を光源として一側面に配置する導光板とを備えた面発光装置において、前記導光板には、前記配線基板の幅方向を挟むように、前記一側面から突出した挟持部が設けられていることを特徴とする。
【発明の効果】
【０００８】
本発明は、導光板の側面の幅方向に対して線状光源装置のずれを規制することができるので、容易に位置決めが可能である。したがって、線状光源装置からの光を導光板の側面の幅方向の中心に合わせて配置することができるので、ＬＣＤに均一な照明光を照射することが可能である。
【発明を実施するための最良の形態】
【０００９】
本願の第１の発明は、長尺状の配線基板と配線基板に配列された複数の発光素子とを備えた線状光源装置を、光源として一側面に配置する導光板において、配線基板の幅方向を挟むように、一側面から突出した挟持部が設けられていることを特徴としたものである。
【００１０】
本発明の導光板には、配線基板の幅方向を挟むように、一側面から突出した挟持部が設けられているので、線状光源装置を配置するときに、この挟持部に配線基板の幅方向を挟み込みように位置させて固定することで、本発明の導光板の側面の幅方向に対して線状光源装置がずれてしまうことを防止することができる。
【００１１】
本願の第２の発明は、挟持部は、配線基板の長さ方向に沿った両側面に設けられた切欠部に嵌合するように設けられていることを特徴としたものである。
【００１２】
線状光源装置の配線基板に設けられた切欠部に嵌合するように挟持部を設けることで、側面の幅方向だけでなく、長さ方向に対してのずれが規制されるので、より位置決めを正確に行うことができる。
【００１３】
本願の第３の発明は、挟持部は、配線基板の両端部を挟むように、一側面に設けられていることを特徴としたものである。
【００１４】
挟持部が配線基板の両端部を挟み込むことで、線状光源装置の両端部のうちの一方がずれることなく、線状光源装置を本発明の導光板の側面に位置させることができる。
【００１５】
本発明の第４の発明は、長尺状の配線基板と配線基板に配列された複数の発光素子とを備え、導光板の一側面に配置される線状光源装置において、配線基板には、導光板の一側面より配線基板を挟むように突出した挟持部と嵌合する切欠部が設けられていることを特徴としたものである。
【００１６】
導光板の一側面から突出した挟持部と嵌合する切欠部が設けられていることで、側面の幅方向のずれが規制されるので、本発明の線状光源装置が導光板の側面の幅方向に対してのずれを防止することができる。また、切欠部が長さ方向に対してのずれを規制するので、より位置決めを正確に行うことができる。
【００１７】
本願の第５の発明は、切欠部は、配線基板の両端部に設けられていることを特徴としたものである。
【００１８】
切欠部が配線基板の両端部に設けられることで、線状光源装置の両端部のうちの一方がずれることなく、本発明の線状光源装置を導光板の側面に位置させることができる。
【００１９】
本願の第６の発明は、長尺状の配線基板と配線基板に配列された複数の発光素子とを備えた線状光源装置と、線状光源装置を光源として一側面に配置する導光板とを備えた面発光装置において、導光板には、配線基板の幅方向を挟むように、一側面から突出した挟持部が設けられていることを特徴としたものである。
【００２０】
導光板には、配線基板の幅方向を挟むように、一側面から突出した挟持部が設けられているので、線状光源装置を配置するときに、この挟持部に配線基板の幅方向を挟み込むように位置させて固定することで、導光板の側面の幅方向に対するずれを防止することができる。
【００２１】
本願の第７の発明は、線状光源装置には、配線基板の長さ方向に沿った両側面に設けられた切欠部が設けられ、導光板には、切欠部に嵌合するように挟持部が設けられていることを特徴としたものである。
【００２２】
線状光源装置の配線基板に設けられた切欠部に嵌合するように挟持部を設けることで、側面の幅方向だけでなく、長さ方向に対してのずれが規制されるので、より位置決めを正確に行うことができる。
【００２３】
本願の第８の発明は、導光板には、挟持部が、配線基板の両端部を挟むように、一側面に設けられていることを特徴としたものである。
【００２４】
導光板の挟持部が配線基板の両端部を挟み込むことで、線状光源装置の両端部のうちの一方がずれることなく、線状光源装置を導光板の側面に位置させることができる。
【００２５】
本願の第９の発明は、線状光源装置には、切欠部が、配線基板の両端部に設けられていることを特徴としたものである。
【００２６】
線状光源装置の切欠部が配線基板の両端部に設けられることで、線状光源装置の両端部のうちの一方がずれることなく、線状光源装置を導光板の側面に位置させることができる。
【００２７】
（実施の形態）
本発明の実施の形態に係る線状光源装置と導光板とを面発光装置として図１から図３に基づいて説明する。図１は、本発明の実施の形態に係る面発光装置の斜視図である。図２は、線状光源装置を導光板に取り付けた状態の側面図である。図３は、図１に示す線状光源装置を裏側から見た斜視図である。
【００２８】
図１に示すように面発光装置１０は、導光板２０と、線状光源装置３０と、フレキシブルプリント配線基板（以下、ＦＰＣと称す。）４０とを備えており、線状光源装置３０を光源として導光板２０の側面Ｓ１から光を入射し、導光板２０内を進行させながら、導光板の主発光面Ｓ２から照明光として出射することで、ＬＣＤのバックライトとして使用されるものである。
【００２９】
導光板２０は、例えば、アクリル樹脂やポリカーボネート樹脂によって０．３〜０．５ｍｍ程度の厚みに形成された透明で矩形状の板である。導光板２０の光入射面となる側面Ｓ１の両端部には、位置決め部２１０が設けられている。
【００３０】
位置決め部２１０は、側面Ｓ１の幅から徐々に拡幅するように形成されたスペース部２１１と、スペース部２１１の端面から突出させて線状光源装置３０を挟み込む挟持部として機能するように第１凸部２１２と第２凸部２１３とが形成されている。第１凸部２１２は、第２凸部２１３より外側に位置すると共に、下側に位置している。
【００３１】
図２に示すように導光板２０には、背面側に設けられた下反射シート５１と、光出射面側に設けられた拡散シート５２とプリズムシート５３，５４と、上反射シート５５とを備えている（図１では図示せず）。
【００３２】
下反射シート５１は、導光板２０の底面に設けられている反射・拡散用のドットの隙間またはドットまたはプリズム面から抜ける光を拡散シート５２の方向へ反射させる機能を有している。下反射シート５１としては、ポリエステル系樹脂を用いた多層膜構造により可視光範囲において高い反射率を有するＥＳＲ（Enhanced Specular Reflector）などが使用できる。
【００３３】
拡散シート５２は、ポリエステル（ＰＳ）樹脂や、ポリカーボネート（ＰＣ）樹脂で表面がすりガラスのように粗面に形成されたものである。拡散シート５２は、導光板２０の光出射面を覆うように形成されている。
【００３４】
プリズムシート５３，５４は、ポリエステル樹脂の表面にアクリル樹脂からなる三角条が形成されたプリズム面を有している。このプリズム面は断面視で鋸歯形状に形成されている。プリズムシート５３，５４は、条方向が互いに略直交する向きに重なるように配置されている。
【００３５】
上反射シート５５は、下反射シート５１と同様の材質のものが使用できる。上反射シート５５は、下反射シート５１と共に導光板２０の一部と線状光源装置３０とを挟むようにして貼られることで、線状光源装置３０を導光板２０の側面Ｓ１に固定している。
【００３６】
図１および図３に示すように、線状光源装置３０は、その軸線が導光板２０の側面の長手方向に沿って配置されている。細長い角棒状の配線基板３１０上に、光源としての複数の発光素子３２０が所定の間隔をおいて配列されたものである。発光素子３２０と交互に反射部３３０が配列されている。反射部３３０同士の間にできる凹部に発光素子３２０を封止する樹脂で形成された光透過性の樹脂封止部３４０が形成されている。この樹脂封止部３４０には、発光素子３２０からの光により励起されて光の波長を変換する蛍光体が含有されていてもよい。
【００３７】
配線基板３１０の発光素子３２０が搭載されている面とは反対側となる面、つまり、配線基板３１０の裏面には、ＦＰＣ４０の接続端子と導通接続するための電源端子３１１が複数箇所に設けられている。また配線基板３１０の両端部には、一方の側面である下側面を切り欠いた第１切欠部３１２と、他方の側面である上側面を切り欠いた第２切欠部３１３とが形成されている。
【００３８】
第１切欠部３１２は、配線基板３１０の下側面から端面に至るまで断面が略Ｌ字状に切り欠かれている。第２切欠部３１３は、第１切欠部３１２の内側に位置し、凹部を形成するように断面コ字状に切り欠かれている。
【００３９】
この第１切欠部３１２同士の間隔は、第１凸部２１２同士の間隔と一致するように形成され、第２切欠部３１３同士の間隔は、第２凸部２１３同士の間隔と一致するように形成されている。また第２切欠部３１３の幅は、第２凸部２１３の幅と一致するように形成されている。
【００４０】
ＦＰＣ４０は、線状光源装置３０を外部電源（図示せず）と導通接続するためのものであり、線状光源装置３０の電源端子３１１と導通接続するために半田を塗布する部分となる拡幅部４１０と、外部電源と接続するための配線パターンが露出した外部接続部４２０と、拡幅部４１０と外部接続部４２０とを接続する配線部４３０とを備えている。
【００４１】
次に、線状光源装置３０を導光板２０に取り付けた状態を図１から図３に基づいて説明する。
【００４２】
図１から図３に示すように、線状光源装置３０の配線基板３１０を導光板２０の位置決め部２１０が設けられた側面Ｓ１に位置させて嵌め込む。このとき、第１切欠部３１２と第１凸部２１２が、第２切欠部３１３と第２凸部２１３とがそれぞれ嵌合するように側面Ｓ１に向かって挿入する。
【００４３】
線状光源装置３０を導光板２０に嵌め込むことで、導光板２０の第１凸部２１２が配線基板３１０の第１切欠部３１２により、第２凸部２１３が第２切欠部３１３により、配線基板３１０の長さ方向（Ｘ方向）に対するずれが、それぞれ規制される。また、導光板２０のスペース部２１１に第１凸部２１２と第２凸部２１３とが配線基板３１０を挟むように設けられているので、配線基板３１０の幅方向（Ｚ方向）に対するずれが規制される。
【００４４】
また、第１凸部２１２および第２凸部２１３とで構成される位置決め部２１０が、配線基板３１０の両端部に設けられた第１切欠部３１２および第２切欠部３１３に対応するように設けられているので、線状光源装置３０の両端部のうちの一方がずれることなく、線状光源装置３０を導光板２０の側面Ｓ１に位置させることができる。
【００４５】
そして、線状光源装置３０を導光板２０に突き当てた状態で、上反射シート５５と下反射シート５１とで配線基板３１０を導光板２０と共に挟むようにして固定することで、導光板２０からの距離を均一に保った状態で配置することができる。
【００４６】
したがって、導光板２０の側面Ｓ１の幅方向の中心からずれることなく側面Ｓ１に、線状光源装置３０からの光を、均一に入射させることができるので、主発光面から出射した光で、ＬＣＤを一様に照射することができる。
【００４７】
また、第１凸部２１２および第２凸部２１３を、スペース部２１１を介在させて導光板２０の側面Ｓ１に設けているので、導光板２０の厚みが薄く、線状光源装置３０の配線基板３１０の厚みの方が厚くても、側面Ｓ１の幅方向の中心に合わせて線状光源装置３０を配置させることができる。
【００４８】
なお、本実施の形態では、導光板２０の第１凸部２１２および第２凸部２１３は、スペース部２１１に設けられているが、線状光源装置３０を導光板２０の側面Ｓ１に最も接近させた状態で配置しても、問題がなければ省略することも可能である。また、線状光源装置３０を導光板２０の側面Ｓ１に最も接近させた場合や、スペース部２１１を設けた場合でも、導光板２０の主発光面に、線状光源装置３０の発光素子３２０に対応する位置に目玉と呼ばれる高輝度のむらが表れるようであれば、スペース部２１１の長さを調整して、線状光源装置３０を導光板２０から離間する距離を確保するようにしてもよい。
【００４９】
以上、本発明の実施の形態について説明してきたが、本発明は前記実施の形態に限定されるものではない。例えば、線状光源装置の配線基板に設ける切欠部を、配線基板の両端面に設けることで、導光板の側面の一方の端部に、凸部を２つ設ける必要がなく、１つの凸部のみで長さ方向および幅方向のずれを規制することができる。しかし、配線基板の幅が極細で、配線基板の両端面に設けることが困難な場合には、本実施の形態に係る線状光源装置３０のように、配線基板３１０の一方の側面のみに切欠部を設けたり、他方の側面にも切欠部を設けるのが、配線基板３１０を加工しやすいので望ましい。
【産業上の利用可能性】
【００５０】
本発明は、容易に位置決めできることでＬＣＤに均一な照明光を照射することが可能なので、ＬＣＤなどの照明光の光源として背面側から照射する導光板、線状光源装置および面発光装置に好適である。
【図面の簡単な説明】
【００５１】
【図１】本発明の実施の形態に係る面発光装置の斜視図
【図２】線状光源装置を導光板に取り付けた状態の側面図
【図３】図１に示す線状光源装置を裏側から見た斜視図
【符号の説明】
【００５２】
１０  面発光装置
２０  導光板
３０  線状光源装置
４０  フレキシブルプリント配線基板（ＦＰＣ）
５１  下反射シート
５２  拡散シート
５３，５４  プリズムシート
５５  上反射シート
２１０  位置決め部
２１１  スペース部
２１２  第１凸部
２１３  第２凸部
３１０  配線基板
３１１  電源端子
３１２  第１切欠部
３１３  第２切欠部
３２０  発光素子
３３０  反射部
３４０  樹脂封止部
４１０  拡幅部
４２０  外部接続部
４３０  配線部
Ｓ１  側面
Ｓ２  主発光面
【図１】
2008060019.tif 000003
【図２】
2008060019.tif 000004
【図３】
2008060019.tif 000005